(57)【要約】【課題】限られた設置スペースであっても、多くの菌床ブロックを設置して茸類の栽培ができるとともに、レイアウトの自由度が高く、収穫作業も効率的に行うことができる茸類栽培用棚を提供することを目的とする。【解決手段】茸類栽培用棚１は、通路Ｗを挟んで、一方側に高さ方向に所定間隔で多段に設けられた複数の棚部６から構成される第１の棚群６１を有する第１の枠体２と、他方側に高さ方向に所定間隔で多段に設けられた複数の棚部６から構成される第２の棚群６２を有する第２の枠体３が、それぞれ上側連結部材４、および下側連結部材５により一体的に構成されている。通路Ｗは作業者、または台車等の行き来が可能であるため、収穫作業時に茸類栽培用棚１を移動する必要がなく収穫作業を効率的に行えるとともに、茸類栽培用棚１のレイアウト変更も容易に行うことができるものとなっている。【選択図】図１
2018110556.tif 000002
【特許請求の範囲】
【請求項１】
一対の第１の縦支柱、該第１の縦支柱の上端部間に横架された第１の上側横架部材を有する第１の枠体と、
一対の第２の縦支柱、該第２の縦支柱の上端部間に横架された第２の上側横架部材を有し、前記第１の枠体と所定幅を介して対峙する第２の枠体と、
前記第１の枠体と前記第２の枠体の上端部間を連結する一対の上側連結部材と、
前記第１の縦支柱間に横架され、該第１の縦支柱の高さ方向に所定間隔で多段に設けられた複数の棚部から構成される第１の棚群と、
該第１の棚群と水平方向に所定幅を介して互いに離間し、前記第２の縦支柱間に横架され、該第２の縦支柱の高さ方向に所定間隔で多段に設けられた複数の棚部から構成される第２の棚群と、を備える
茸類栽培用棚。
【請求項２】
前記第１の枠体は、前記第１の縦支柱の下端部間に横架された第１の下側横架部材を有し、
前記第２の枠体は、前記第２の縦支柱の下端部間に横架された第２の下側横架部材を有する
請求項１に記載の茸類栽培用棚。
【請求項３】
前記第１の枠体と前記第２の枠体の下端部間を連結する一対の下側連結部材を有する
請求項１または請求項２に記載の茸類栽培用棚。
【請求項４】
前記下側連結部材は、縦断面視で下に凸の屈曲部が所定幅の範囲おいて形成されている
請求項３に記載の茸類栽培用棚。
【請求項５】
前記下側連結部材は、外側面部と内側面部の一対の側面を有する鉛直方向下方に向けて開口した断面略コの字状であり、
少なくとも前記内側面部は前記外側面部から離間する方向に鉛直軸に対して所定の傾斜角を有する
請求項４に記載の茸類栽培用棚。
【請求項６】
前記第１の棚群の各棚部を支持する所定幅の一対の第１の棚棒取付フレームが、前記第１の縦支柱に略直交して固定され、
前記第２の棚群の各棚部を支持する所定幅の一対の第２の棚棒取付フレームが、前記第２の縦支柱に略直交して固定されている
請求項１から請求項５の何れか一項に記載の茸類栽培用棚。
【請求項７】
前記第１の棚棒取付フレームは、前記第２の枠体方向に向けて突出して固定され、
前記第２の棚棒取付フレームは、前記第１の枠体方向に向けて突出して固定されている
請求項６に記載の茸類栽培用棚。
【請求項８】
前記第１の棚群の各棚部は、前記第１の棚棒取付フレームの幅方向に所定間隔で並設される複数の角棒から構成され、
前記第２の棚群の各棚部は、前記第２の棚棒取付フレームの幅方向に所定間隔で並設される複数の角棒から構成されている
請求項５から請求項７の何れか一項に記載の茸類栽培用棚。
【請求項９】
前記第１の縦支柱、および前記第２の縦支柱の下端には移動用キャスターを有する
請求項１から請求項８の何れか一項に記載の茸類栽培用棚。
【発明の詳細な説明】
【技術分野】
【０００１】
本発明は、茸類栽培用棚に関する。詳しくは、限られた設置スペースであっても、多くの菌床ブロックを載置して茸類の栽培ができるとともに、レイアウトの自由度が高く、収穫作業も効率的に行うことができる茸類栽培用棚に係るものである。
【背景技術】
【０００２】
従来より、自然環境下での茸の栽培においては、例えば、伐採したコナラ、またはクヌギ等を乾燥させて茸菌を植え付けたホダ木を、直射日光が当たらず日当たりの少ない日陰において、多湿、かつ風通しのよい環境となるように、栽培環境に注意して栽培が行われてきた。しかし、このような栽培方法では、茸菌の植え付けから収穫までの期間が長く、また収穫量や品質が天候に左右される等の多くの問題を有していた。
【０００３】
このような問題を解決するために、近年では、屋内において多湿に空調管理された大規模な栽培棟内で、上下方向の複数段にわたって茸菌を植設した菌床ブロックを載置するための棚部を有する茸類栽培用棚が提案されている（特許文献１）。
【０００４】
具体的には、図６（ａ）に示すように、茸類栽培用棚１００は、棚部１０１が上下方向に多段に設けられており、各棚部１０１は棚棒１０２を所定の間隔で水平方向に並設されている。棚棒１０２は、例えば矩形状の角棒から構成されており、長さ方向の両端部がその取付部の断面形状と部分的に同じ形状の保持部１０３に差し入れ、軸周方向に回動しないように保持されたものとなっている。
【０００５】
そして、このような茸類栽培用棚１００は、例えば図６（ｂ）に示すように、作業者が所定作業を行うのに充分な広さの作業通路Ｗが確保されるように建物内に複数設置されるとともに、各棚部１０１には、それぞれ所定の茸菌を植設した複数の菌床ブロック１０４が載置される。
【先行技術文献】
【特許文献】
【０００６】
【特許文献１】特開２１０−９９００８号公報
【発明の概要】
【発明が解決しようとする課題】
【０００７】
前記した特許文献１によれば、簡易に茸類の大量栽培が可能なものとなっている。一方、特許文献１に記載の茸類栽培用棚を建物内に設置するに際しては、栽培棟内に可能な限り多くの茸類栽培用棚を設置するため、通常、作業者による収穫スペース等は設けずに茸類栽培用棚がレイアウトされていた。
【０００８】
そのため、茸類の収穫作業に際しては、各茸類栽培用棚を一台ずつ作業者による人力で移動させ、収穫スペースを確保するようにしていた。しかしながら、茸類栽培用棚は一台あたり約５００ｋｇ前後の重量があり、たとえ移動用のキャスターが設けられていたとしても、その移動作業はかなりの重労働となっていた。
【０００９】
一方で、作業者が収穫作業を行うのに充分な広さの作業通路を確保することを事前に考慮しながら茸類栽培用棚をレイアウトするには、茸類栽培用棚の設置作業における工数が多大なものとなっていた。
【００１０】
本発明は、以上の点に鑑みて創案されたものであり、限られた設置スペースであっても、多くの菌床ブロックを載置して茸類の栽培ができるとともに、レイアウトの自由度が高く、収穫作業も効率的に行うことができる茸類栽培用棚を提供することを目的とするものである。
【課題を解決するための手段】
【００１１】
前記の目的を達成するために、本発明の茸類栽培用棚は、一対の第１の縦支柱、該第１の縦支柱の上端部間に横架された第１の上側横架部材を有する第１の枠体と、一対の第２の縦支柱、該第２の縦支柱の上端部間に横架された第２の上側横架部材を有し、前記第１の枠体と所定幅を介して対峙する第２の枠体と、前記第１の枠体と前記第２の枠体の上端部間を連結する一対の上側連結部材と、前記第１の縦支柱間に横架され、該第１の縦支柱の高さ方向に所定間隔で多段に設けられた複数の棚部から構成される第１の棚群と、該第１の棚群と水平方向に所定幅を介して互いに離間し、前記第２の縦支柱間に横架され、該第２の縦支柱の高さ方向に所定間隔で多段に設けられた複数の棚部から構成される第２の棚群とを備える。
【００１２】
ここで、第１の枠体が、一対の第１の縦支柱、第１の縦支柱の上端部間に横架された第１の上側横架部材を有する３方枠から構成されていることにより、第１の枠体全体の剛性を確保し、後述する棚部に菌床ブロックを複数載置した場合でも、第１の枠体の歪み、変形等を防止することができる。
【００１３】
また、第２の枠体が、一対の第２の縦支柱、第２の縦支柱の上端部間に横架された第２の上側横架部材を有する３方枠から構成されていることにより、第２の枠体全体の剛性を確保し、後述する棚部に菌床ブロックを複数載置した場合でも、第２の枠体の歪み、変形等を防止することができる。
【００１４】
また、第１の枠体と第２の枠体が所定幅を介して対峙するため、第１の枠体と第２の枠体間に所定幅のスペース（作業通路）が形成される。したがって、第１の枠体と第２の枠体間に形成されたスペースを作業者、または台車等の行き来が可能となるとともに、茸類栽培用棚の建物内におけるレイアウトを検討するに際しても、作業通路となるスペースを考慮する必要がないため、茸類栽培用棚のレイアウト検討に要する工数を大幅に低減することができる。
【００１５】
また、第１の枠体と第２の枠体の上端部間を連結する一対の上側連結部材を有することにより、第１の枠体と第２の枠体を一体化することができるとともに、第１の枠体と第２の枠体の全体的な剛性を確保することができる。したがって、後述する第１の棚部、および第２の棚部に菌床ブロックを複数載置した場合でも、第１の枠体、および第２の枠体の歪み、変形等を防止することができる。
【００１６】
また、第１の縦支柱間に横架され、第１の縦支柱の高さ方向に所定間隔で多段に設けられた複数の棚部から構成された第１の棚群を有することにより、該第１の棚群の各棚部に複数の菌床ブロックを載置することができる。
【００１７】
また、第２の縦支柱間に横架され、第２の縦支柱の高さ方向に所定間隔で多段に設けられた複数の棚部から構成された第２の棚群を有することにより、該第２の棚群の各棚部に複数の菌床ブロックを載置することができる。
【００１８】
また、第１の棚群と第２の棚群が水平方向に所定幅を介して互いに離間して配置されることにより、第１の棚群と第２の棚群の間にスペースが形成され、このスペースを作業者、または台車等の行き来が可能となるため、収穫作業の効率を高めることができる。
【００１９】
また、第１の枠体が、第１の縦支柱の下端部間に横架された第１の下側横架部材を有する場合には、第１の枠体の全体の剛性を確保し、第１の棚群の各棚部に菌床ブロックを複数載置した場合でも、第１の枠体の歪み、変形等を防止することができる。
【００２０】
また、第２の枠体が、第２の縦支柱の下端部間に横架された第２の下側横架部材を有する場合には、第２の枠体の全体の剛性を確保し、第２の棚群の各棚部に菌床ブロックを複数載置した場合でも、第２の枠体の歪み、変形等を防止することができる。
【００２１】
また、第１の枠体と第２の枠体の下端部間を連結する一対の下側連結部材を有する場合には、第１の枠体と第２の枠体を一体化することができるとともに、第１の枠体と第２の枠体の全体的な剛性を確保することができる。したがって、第１の棚群、および第２の棚群の各棚部に菌床ブロックを複数載置した場合でも、第１の枠体、および第２の枠体の歪み、変形等を防止することができる。
【００２２】
また、下側連結部材が、縦断面視で下に凸の屈曲部が所定幅の範囲おいて形成されている場合には、例えば下に凸の屈曲部が形成される範囲を作業者、または台車等が通過できる範囲に設定することで、下側連結部材の段差を少なくすることができるため、第１の枠体と第２の枠体で囲まれた空間内への作業者、または台車等の行き来が容易なものとなり、収穫作業の効率を高めることができる。
【００２３】
また、下側連結部材が、外側面部と内側面部の一対の側面を有する鉛直方向下方に向けて開口した断面略コの字状であり、少なくとも前記内側面部は前記外側面部から離間する方向に鉛直軸に対して所定の傾斜角を有する場合には、複数の茸類栽培用棚を連接した場合において、隣接する一方の茸類栽培用棚の下側連結部材と、他方の茸類栽培用棚の下側連結部材により、略台形状を形成してスロープとして機能するため、車輪の付いた台車等の通過が容易なものとなる。
【００２４】
また、第１の棚群の各棚部を支持する所定幅の一対の第１の棚棒取付フレームが、第１の縦支柱に略直交して固定されている場合には、各棚部を第１の縦支柱に対して強固に固定することができるため、各棚部に菌床ブロックを複数載置した場合でも、各棚部が第１の縦支柱から脱落することを防止することができる。
【００２５】
また、第２の棚群の各棚部を支持する所定幅の一対の第２の棚棒取付フレームが、第２の縦支柱に略直交して固定されている場合には、各棚部を第２の縦支柱に対して強固に固定することができるため、各棚部に菌床ブロックを複数載置した場合でも、各棚部が第２の縦支柱から脱落することを防止することができる。
【００２６】
また、第１の棚棒取付フレームは、第２の枠体方向に向けて突出して固定されている場合には、第１の棚棒取付フレームが第１の枠体から外側に突出しないため、例えば茸類栽培用棚を幅方向に複数連接する場合において、各茸類栽培用棚を隙間なく密接して配置することができ、省スペース内においても茸類栽培用棚の配置レイアウトの自由度を高めることができる。
【００２７】
また、第２の棚棒取付フレームは、第１の枠体方向に向けて突出して固定されている場合には、第２の棚棒取付フレームが第２の枠体から外側に突出しないため、例えば茸類栽培用棚を幅方向に複数連接する場合において、各茸類栽培用棚を隙間なく密接して配置することができ、省スペース内においても茸類栽培用棚の配置レイアウトの自由度を高めることができる。
【００２８】
また、第１の棚群の各棚部が第１の棚棒取付フレームの幅方向に所定間隔で並設される複数の角棒から構成されている場合には、各角棒の間に隙間が形成されるため、各棚部の通気性を確保して、各棚部に載置した菌床ブロック周囲の温度、湿度を一定に保つことができる。
【００２９】
また、第２の棚群の各棚部が第２の棚棒取付フレームの幅方向に所定間隔で並設される複数の角棒から構成されている場合には、各角棒の間に隙間が形成されるため、各棚部の通気性を確保して、各棚部に載置した菌床ブロック周囲の温度、湿度を一定に保つことができる。
【００３０】
また、１の縦支柱、および前記第２の縦支柱の下端に移動用キャスターを有する場合には、レイアウト変更に伴う茸類栽培用棚の移動が容易なものとなる。
【発明の効果】
【００３１】
本発明に係る茸類栽培用棚は、限られた設置スペースであっても、多くの菌床ブロックを載置して茸類の栽培ができるとともに、レイアウトの自由度が高く、収穫作業も効率的に行うことができるものとなっている。
【図面の簡単な説明】
【００３２】
【図１】本発明の実施形態に係る茸類栽培用棚の斜視図である。
【図２】図１に示す茸類栽培用棚の分解斜視図である。
【図３】本発明の実施形態に係る茸類栽培用棚において、（ａ）は正面図、（ｂ）は側面図である。
【図４】本発明の実施形態に係る茸類栽培用棚の棚棒の取付構造を示す図において、（ａ）は側面からみた断面図、（ｂ）は（ａ）のＡ−Ａ断面図である。
【図５】本発明の実施形態に係る茸類栽培用棚を縦横に複数配置した使用状態を示す図である。
【図６】従来技術を示す図である。
【発明を実施するための形態】
【００３３】
以下、茸類栽培用棚の本発明の実施の形態について、図面を参照しながら説明し、本発明の理解に供する。なお、各図において説明の便宜上、茸類栽培用棚１を建物内に設置した状態において、茸類栽培用棚１の設置面から上部に向かう方向を上方向、上方向の反対方向を下方向、上方向および下方向により表される軸方向を鉛直方向、鉛直方向と垂直な軸方向を水平方向とそれぞれ定義する。
【００３４】
まず、本発明に係る茸類栽培用棚１の全体構成について、図１、および図２を用いて説明する。茸類栽培用棚１は主にスチール材から構成されており、第１の枠体２と、この第１の枠体２に約１ｍ幅の通路Ｗを介して対峙する第２の枠体３から構成され、第１の枠体２と第２の枠体３の上端部間が一対の上側連結部材４、４により、第１の枠体２と第２の枠体３の下端部間が一対の下側連結部材５、５により、それぞれの構成部材が組み合わされて分解可能なように一体的に構成されている。
【００３５】
ここで、必ずしも、第１の枠体２と第２の枠体３の下端部間を連結する一対の下側連結部材５、５を有している必要はない。ただし、茸類栽培用棚１の全体の剛性を確保する上では、第１の枠体２と第２の枠体３の下端部間は下側連結部材５、５により連結されていることが好ましい。
【００３６】
また、必ずしも、通路Ｗの幅は約１ｍに設定されている必要はない。通路Ｗの幅は、作業者、または台車等がスムーズに通過できる程度の幅であればよく、設置スペース、設置レイアウト等を考慮して適宜変更することができる。
【００３７】
また、必ずしも、茸類栽培用棚１の構成部品は分解可能なように構成されている必要はない。例えば、全体の構成部品が一体的に分解不能なように構成されていてもよい。ただし、各構成部品が分解可能なように組み合わされていることにより、設置場所での簡易な組付作業により茸類栽培用棚１を組み立てることができ、かつ工場で製造した各構成部材の設置場所までの輸送コストを抑えることができる。
【００３８】
また、必ずしも、茸類栽培用棚１の材質はスチール材に限定されるものではない。公知の材料から適宜変更することができる。
【００３９】
第１の枠体２は、鉛直方向に立設する一対の第１の縦支柱２１、２１と、この第１の縦支柱２１、２１の上端部間で水平方向に横架された第１の上側横架部材２２、および第１の縦支柱２１、２１の下端部間で水平方向に横架された第１の下側横架部材２３から構成されている。
【００４０】
第１の縦支柱２１、２１と一対の第１の上側横架部材２２、および一対の第１の下側横架部材２３は、フランジ８を介してボルト９により強固に固定されている。
【００４１】
ここで、必ずしも、第１の縦支柱２１、２１の下端部間には第１の下側横架部材２３が横架されている必要はない。ただし、第１の枠体２の全体の剛性を確保する上では、第１の縦支柱２１、２１の下端部間には第１の下側横架部材２３が横架されていることが好ましい。
【００４２】
また、必ずしも、第１の縦支柱２１、２１と第１の上側横架部材２２、および第１の下側横架部材２３はフランジ８を介してボルト９で固定されている必要はなく、溶接等による公知の固定手段から適宜選択することができる。
【００４３】
第２の枠体３は、第１の枠体２と同じく、鉛直方向に立設する一対の第２の縦支柱３１、３１と、この第２の縦支柱３１、３１の上端間で水平方向に横架された第２の上側横架部材３２、および第２の縦支柱３１、３１の下端部間で水平方向に横架された第２の下側横架部材３３から構成されている。
【００４４】
第２の縦支柱３１、３１と第２の上側横架部材３２、および第２の下側横架部材３３は、フランジ８を介してボルト９により強固に固定されている。
【００４５】
ここで、必ずしも、第２の縦支柱３１、３１の下端部間には第２の下側横架部材３３が横架されている必要はない。ただし、第１の枠体２の全体の剛性を確保する上では、第２の縦支柱３１、３１の下端部間には第２の下側横架部材３３が横架されていることが好ましい。
【００４６】
また、必ずしも、第２の縦支柱３１、３１と第２の上側横架部材３２、および第２の下側横架部材３３はフランジ８を介してボルト９で固定されている必要はなく、溶接等による公知の固定手段から適宜選択することができる。
【００４７】
第１の縦支柱２１、２１、および第２の縦支柱３１、３１の下端部には、板状のベース板１０を介在させてキャスター１１が計４つ取り付けられている。
【００４８】
ここで、必ずしも、キャスター１１は取り付けられている必要はない。ただし、キャスター１１が取り付けられていることにより、茸類栽培用棚１の移動が容易なものとなるため、例えば、茸類栽培用棚１のレイアウト変更等も少ない労力で短時間に行うことが可能となる。
【００４９】
第１の枠体２、および第２の枠体３の上端部間には、通路Ｗの幅に相当する長さの一対の上側連結部材４がフランジ８を介してボルトにより強固に固定されている。また、第１の枠体２、および第２の枠体３の下端部間には、同じく通路Ｗの幅に相当する長さの一対の下側連結部材５がフランジ８を介してボルトにより強固に固定されている。
【００５０】
ここで、必ずしも、第１の枠体２、および第２の枠体３の下端部間には一対の下側連結部材５が固定されている必要はない。ただし、下側連結部材５が固定されていることにより、茸類栽培用棚１の全体の剛性を確保することができるため、例えば、後述する棚部に多数の菌床ブロック１２を載置した場合でも、茸類栽培用棚１の歪みや変形を防止することができる。
【００５１】
また、必ずしも、第１の枠体２、第２の枠体３と上側連結部材４、下側連結部材５はそれぞれフランジ８を介してボルト９で固定されている必要はなく、溶接等による公知の固定手段から適宜選択することができる。
【００５２】
下側連結部材５は、一端が第１の枠体２の下端部とフランジ８を介してボルト９で固定される一対の第１の短尺部材５１と、一端が第２の枠体３の下端とフランジ８を介してボルト９で固定される一対の第２の短尺部材５２とを有し、第１の短尺部材５１、および第２の短尺部材５２の他端同士が長尺部材５３により、フランジ８を介してボルト９で固定されている。
【００５３】
長尺部材５３は、外側面部５３ａと内側面部５３ｂとを有し、内側面部５３ｂは鉛直方向に対して茸類栽培用棚１の内側に向けて所定の傾斜角度を有している。
【００５４】
ここで、必ずしも、長尺部材５３の内側面部５３ｂは鉛直方向に対して、茸類栽培用棚１の内側方向に所定の傾斜角度を有している必要はない。例えば、外側面部５３ａと同じく鉛直方向に沿って形成されていてもよい。但し、長尺部材５３の内側面部５３ｂが鉛直方向に対して所定の角度を有することにより、後述するように複数の茸類栽培用棚１を連接した際に、一方の茸類栽培用棚１の内側面部５３ｂと他方の茸類栽培用棚１の内側面部５３ｂにより台形状を形成してスロープとして機能するため、通路Ｗを車輪の付いた台車等の通過が容易なものとなる（図５（ｂ）の拡大図参照）。
【００５５】
また、図３に示すように、第１の短尺部材５１、および第２の短尺部材５２の高さ位置は略同一であるとともに、長尺部材５３は第１の短尺部材５１、および第２の短尺部材５２の高さ位置よりも所定に低く、茸類栽培用棚１の設置面に近い位置に設置される構成となっている。即ち、下側連結部材５は全体として通路Ｗの幅に相当する部分が下方向に凸の屈曲部５４が形成された形状となっている。
【００５６】
ここで、必ずしも、下側連結部材５は第１の短尺部材５１、第２の短尺部材５２、および長尺部材５３からそれぞれ構成されている必要はない。例えば、フランジ８を介さずに一体的に構成されていてもよい。
【００５７】
また、必ずしも、下側連結部材５は通路Ｗの幅に相当する部分が下方向に凸の屈曲部５４が形成されている必要はない。ただし、屈曲部５４を有することにより、下側連結部材５の段差を極力少なくすることができるため、第１の枠体２と第２の枠体３で囲まれた空間内への作業者、または台車等の行き来が容易なものとなり、収穫作業の効率を高めることができる。
【００５８】
第１の枠体２の高さ方向には、第１の縦支柱２１、２１間に架設された複数の棚部６から構成される第１の棚群６１が設置されている。また、第２の枠体３の高さ方向には、第２の縦支柱３１、３１間に架設された複数の棚部６から構成される第２の棚群６２が設置されている。
【００５９】
第１の棚群６１、および第２の棚群６２をそれぞれ構成する棚部６は、断面略コの字状で、長尺の棚棒６３が茸類栽培用棚１の短手方向に複数本（本発明の実施形態においては２本）が並設されて構成されている。
【００６０】
ここで、必ずしも、棚棒６３の断面形状はコの字状である必要はない。例えば、断面円形状の丸棒から構成されていてもよい。ただし、断面略コの字状とすることで、後述する棚棒取付フレーム７に棚棒６３を取り付けた際に、棚棒６３の軸周方向への回転を防止することができるため、菌床ブロック１２が棚棒６３からずれて傾いたり、落下したりすることを防止することができる。
【００６１】
また、必ずしも、棚部６は複数本の棚棒６３により構成されている必要はない。例えば、一枚板により構成されていてもよい。ただし、棚部６を複数本の棚棒６３を幅方向に並設して構成することにより、各棚棒６３間に隙間が形成され、この隙間が空気の通り道となるため、通気性が高まり、温度、および湿度管理が容易なものとなるとともに、茸類の発育も良好なものとなる。
【００６２】
また、必ずしも、棚棒６３は複数本が別体で構成されている必要はない。例えば、長尺の棚棒６３が短手方向に並設した状態で一体的に構成されていてもよい。
【００６３】
第１の縦支柱２１、２１、および第２の縦支柱３１、３１の高さ方向の所定の位置には、各棚棒６３を支持する短尺の棚棒取付フレーム７がボルト９により取り付けられている。
【００６４】
ここで、第１の枠体２に取り付けられ、第１の棚群６１を構成する各棚棒６３を支持する第１の棚棒取付フレーム７１は、第２の枠体３に向かって突出するように取り付けられている。また、第２の枠体３に取り付けられ、第２の棚群６２を構成する各棚棒６３を支持する第２の棚棒取付フレーム７２は、第１の枠体に向かって突出するように取り付けられている。即ち、第１の棚棒取付フレーム７１、および第２の棚棒取付フレーム７２は茸類栽培用棚１の外周に突出しないように第１の枠体２、および第２の枠体３にそれぞれ取り付けられている。
【００６５】
ここで、必ずしも、第１の棚棒取付フレーム７１、および第２の棚棒取付フレーム７２は茸類栽培用棚１の外周に突出しないように取り付けられている必要はない。ただし、第１の棚棒取付フレーム７１、および第２の棚棒取付フレーム７２を茸類栽培用棚１の外周に突出しないように取り付けることで、例えば、図５に示すように、複数の茸類栽培用棚１を縦横方向に連接する場合においても、隣接する茸類栽培用棚１を密着させることができるため、省スペースの屋内においても効率的に多くの茸類栽培用棚１をレイアウトすることができる。
【００６６】
棚棒取付フレーム７は図４に示すように、第１の縦支柱２１、２１、および第２の縦支柱３１、３１に取り付けた状態において、上方向に開放された取付凹部７３が形成された断面略凹状からなり、取付凹部７３の一片の幅方向には棚棒６３が嵌合される嵌合スリット部７４が形成されている。
【００６７】
ここで、必ずしも、棚棒６３と棚棒取付フレーム７の固定方法として、棚棒取付フレーム７に形成された嵌合スリット部７４に棚棒６３の一端が嵌合されるように取り付けられる必要はない。例えば、棚棒６３の一端と棚棒取付フレーム７を溶接、またはボルト等の公知の固定手段により固定してもよい。ただし、嵌合スリット部７４に棚棒６３の一端を嵌合する形式とすると、固定手段を特に必要とせず、棚棒６３の棚棒取付フレームへの脱着が容易なものとなり、組立工数を短縮することができる。
【００６８】
図５は本発明に係る茸類栽培用棚１の使用例を示す。茸類栽培用棚１は単独での使用も可能であるが、各茸類栽培用棚１を縦横方向に連続して並べて使用することで、一度に大量の茸類の栽培が可能となる。
【００６９】
なお、隣り合う茸類栽培用棚１を配置するに際しては、図５（ｂ）の拡大図に示すように、例えば一方の茸類栽培用棚１の第１の短尺部材５１、第２の短尺部材５２と、他方の第１の短尺部材５１、第２の短尺部材５２のそれぞれを連結部材１３により連結することで、各茸類栽培用棚１の全体的な剛性を確保することもできる。
【００７０】
以上のように、茸類栽培用棚１においては第１の枠体２と第２の枠体３により、作業者、または台車等が通過可能な通路Ｗが予め形成されているため、茸類栽培用棚１を屋内に複数レイアウトする場合においても、作業者、または台車等が通過するための通路幅等を考慮する必要がないため、レイアウトに要する工数を大幅に低減することができる。
【００７１】
さらに、第１の棚群６１、および第２の棚群６２は第１の枠体２、および第２の枠体３から外周方向に突出しないため、各茸類栽培用棚１を縦横方向に連接した場合でも、隣り合う茸類栽培用棚１の間に隙間が生じないため、屋内の狭い設置スペース内においても、効率的に多くの茸類栽培用棚１をレイアウトすることができる。
【００７２】
以上、本発明に係る茸類栽培用棚は、限られた設置スペースであっても、多くの菌床ブロックを載置して茸類の栽培ができるとともに、レイアウトの自由度が高く、収穫作業も効率的に行うことができるものとなっている。
【００７３】
１      茸類栽培用棚
２      第１の枠体
２１      第１の縦支柱
２２      第１の上側横架部材
２３      第１の下側横架部材
３      第２の枠体
３１      第２の縦支柱
３２      第２の上側横架部材
３３      第２の下側横架部材
４      上側連結部材
５      下側連結部材
５１      第１の短尺部材
５２      第２の短尺部材
５３      長尺部材
５３ａ      外側面部
５３ｂ      内側面部
５４      屈曲部
６      棚部
６１      第１の棚群
６２      第２の棚群
６３      棚棒
７      棚棒取付フレーム
７１      第１の棚棒取付フレーム
７２      第２の棚棒取付フレーム
７３      取付凹部
７４      嵌合スリット部
８      フランジ
９      ボルト
１０      ベース板
１１      キャスター
１２      菌床ブロック
１３      連結部材
Ｗ      通路
【図１】
2018110556.tif 000003
【図２】
2018110556.tif 000004
【図３】
2018110556.tif 000005
【図４】
2018110556.tif 000006
【図５】
2018110556.tif 000007
【図６】
2018110556.tif 000008